(57)【要約】【課題】  記録媒体の位置ずれを防ぎつつ記録媒体に記録される画像の画質の低下を抑えることができる液滴吐出記録装置を提供する。【解決手段】  帯電ロール２６は、複数のロール３６Ａ〜３６Ｅに分割されて搬送方向と交差する交差方向に沿って搬送ベルト２４の表面と対向するように配置され、当該表面の前記搬送方向に対する直交方向に沿って複数の領域に分割された各分割領域に対して予め設定された電圧を個別に印加し、印加電圧設定部４７は、画像データにより示される画像が記録媒体に記録された際の当該画像の前記搬送方向に対する後端側の所定範囲を前記分割領域に対応する複数の分割画像６２Ａ〜６２Ｅに分割し、分割画像６２Ａ〜６２Ｅの各々の平均濃度に基づいて、分割領域毎の印加電圧を、対応する分割画像６２の位置ずれの視認度が低いほど吸着力が高くなるように決定し、決定した電圧を対応する分割画像６２に対応する前記分割領域に印加するように設定する。【選択図】        図７
2006327726.tif 000002
【特許請求の範囲】
【請求項１】
電圧を印加することにより搬送体の表面を帯電させて記録媒体を吸着させ、前記搬送体を周回駆動させることにより搬送される前記記録媒体に対して画像データに基づき、液滴吐出ヘッドから液滴を吐出して画像を記録する液滴吐出記録装置であって、
複数に分割されて前記搬送体による前記記録媒体の搬送方向に対する交差方向に沿って前記搬送体の表面と対向するように配置され、当該表面の前記搬送方向に対する直交方向に沿って複数の領域に分割された各分割領域に対して予め設定された電圧を個別に印加する電圧印加手段と、
前記画像データにより示される画像が前記記録媒体に記録された際の当該画像の前記搬送方向に対する後端側の所定範囲を前記分割領域に対応する複数の分割画像に分割する分割手段と、
前記複数の分割画像の各々の特性を示す特性値に基づいて、前記分割領域毎の印加電圧を、対応する分割画像の位置ずれの視認度が低いほど吸着力が高くなるように決定する決定手段と、
前記決定手段により決定された電圧を対応する分割画像に対応する前記分割領域に印加するように設定する設定手段と、
を備えた液滴吐出記録装置。
【請求項２】
前記特性値を、前記画像データによって示される対応する分割画像の平均濃度値とし、
前記決定手段は、前記平均濃度値が予め定められた第１の閾値より大きく、且つ前記第１の閾値より大きな第２の閾値以下の場合に前記印加電圧を予め定められた標準電圧に決定し、前記平均濃度値が前記第１の閾値以下の場合又は前記第２の閾値より大きい場合に前記印加電圧を前記標準電圧よりも前記記録媒体の吸着力が高い高吸着電圧に決定する、
請求項１記載の液滴吐出記録装置。
【請求項３】
前記決定手段は、前記分割画像が線画である場合又は当該分割画像に文字部分の線の幅が所定画素数以下の細線の文字が含まれている場合に前記印加電圧を予め定められた標準電圧に決定し、その他の場合に前記印加電圧を前記標準電圧よりも前記記録媒体の吸着力が高い高吸着電圧に決定する、
請求項１記載の液滴吐出記録装置。
【請求項４】
前記決定手段は、前記分割画像毎に決定した前記印加電圧が全て前記標準電圧である場合、印加電圧を前記標準電圧と前記高吸着電圧との間の電圧と決定する、
請求項２又は請求項３記載の液滴吐出記録装置。
【請求項５】
前記画像データをシアン、マゼンタ、イエロー、ブラックの各成分色の画像情報を含むものとすると共に、前記液滴吐出ヘッドを当該画像データに基づいて各成分色の液滴を吐出することにより前記記録媒体に対してカラー画像を記録するものとし、
前記決定手段は、前記所定範囲における同一の位置に位置する前記成分色毎の前記分割画像の特性値のうち最も前記視認度が高い特性値に基づいて対応する前記分割領域の前記印加電圧を決定する
請求項１記載の液滴吐出記録装置。
【発明の詳細な説明】
【技術分野】
【０００１】
この発明は、電圧を印加することにより搬送体の表面を帯電させて記録媒体を吸着させ、前記搬送体を周回駆動させることにより搬送される前記記録媒体に対して画像データに基づき、液滴吐出ヘッドから液滴を吐出して画像を記録する液滴吐出記録装置に関するものである。
【背景技術】
【０００２】
従来、搬送されている記録用紙等の記録媒体に画像データに基づいて液滴吐出ヘッドからインク液を吐出して画像を記録するインクジェット記録装置（所謂、インクジェットプリンタ）が知られている。
【０００３】
この種のインクジェット記録装置には、搬送中の記録用紙の位置ずれの発生を防止するため、搬送ベルトや搬送ドラム等の搬送体を帯電させて記録用紙を静電気により吸着させ、搬送体を周回駆動させることにより記録用紙を液滴吐出ヘッドと対向する画像記録位置へ搬送し、液滴吐出ヘッドから吐出されたインク液により画像が記録された記録用紙を搬送方向下流側に設けられた排出（排紙）ローラ等によって装置外へ搬送しているものがある。
【０００４】
ところで、インクジェット記録装置は、装置を小型化するため、画像記録位置と排出ローラの位置との距離を短くすると、液滴吐出ヘッドからインク液を吐出して画像の記録を行っている間に記録用紙の先端が排出ローラに到達して排出ローラにより記録用紙に対して搬送に伴う力がかかる一方、搬送体の周回駆動に伴って排出ローラにより搬送されて搬送体と記録用紙との吸着面の面積が徐々に減るため、記録用紙の位置ずれが発生して、記録される画像の位置がずれる場合ある。このため、特許文献１及び特許文献２には、記録用紙の搬送方向の後端部に印加する電圧を高くして記録用紙の後端部の吸着力を高めて、記録用紙の位置ずれの発生を防止する技術が開示されている。
【特許文献１】特開平８−２８２８７４号公報
【特許文献２】特開平１０−１７５３３６公報
【発明の開示】
【発明が解決しようとする課題】
【０００５】
しかしながら、インク液に含まれる染料等は電界の影響を受ける場合があり、特許文献１及び特許文献２の技術を用いて記録用紙の後端部に印加する電圧を高くすると強い電界が発生し、吐出されたインク液が電界の影響を受けて着弾位置にずれが発生して記録される画像の画質が低下する場合がある、という問題点があった。
【０００６】
本発明は上記問題点を解決するためになされたものであり、記録媒体の位置ずれを防ぎつつ記録媒体に記録される画像の画質の低下を抑えることができる液滴吐出記録装置を提供することを目的とする。
【課題を解決するための手段】
【０００７】
請求項１の発明は、電圧を印加することにより搬送体の表面を帯電させて記録媒体を吸着させ、前記搬送体を周回駆動させることにより搬送される前記記録媒体に対して画像データに基づき、液滴吐出ヘッドから液滴を吐出して画像を記録する液滴吐出記録装置であって、複数に分割されて前記搬送体による前記記録媒体の搬送方向に対する交差方向に沿って前記搬送体の表面と対向するように配置され、当該表面の前記搬送方向に対する直交方向に沿って複数の領域に分割された各分割領域に対して予め設定された電圧を個別に印加する電圧印加手段と、前記画像データにより示される画像が前記記録媒体に記録された際の当該画像の前記搬送方向に対する後端側の所定範囲を前記分割領域に対応する複数の分割画像に分割する分割手段と、前記複数の分割画像の各々の特性を示す特性値に基づいて、前記分割領域毎の印加電圧を、対応する分割画像の位置ずれの視認度が低いほど吸着力が高くなるように決定する決定手段と、前記決定手段により決定された電圧を対応する分割画像に対応する前記分割領域に印加するように設定する設定手段と、を備えている。
【０００８】
請求項１記載の発明は、電圧印加手段が、複数に分割されて搬送体による記録媒体の搬送方向に対する交差方向に沿って前記搬送体の表面と対向するように配置されており、当該電圧印加手段により、前記表面の前記搬送方向に対する直交方向に沿って複数の領域に分割された各分割領域に対して予め設定された電圧を個別に印加するものとしている。なお、電圧印加手段には、前記表面と接触して搬送体を帯電させるものとしてもよく、また、前記表面に対して近接され、電圧を印加することで搬送体を帯電させるものとしてもよい。また、搬送体は、複数のローラに巻き掛けられた無端状の搬送ベルトであってもよく、また、ドラム形状のものであってもよい。
【０００９】
そして、本発明では、分割手段により、画像データにより示される画像が前記記録媒体に記録された際の当該画像の前記搬送方向に対する後端側の所定範囲を前記分割領域に対応する複数の分割画像に分割し、決定手段により、前記複数の分割画像の各々の特性を示す特性値に基づいて、前記分割領域毎の印加電圧を、対応する分割画像の位置ずれの視認度が低いほど吸着力が高くなるように決定し、設定手段により、決定手段により決定された電圧を対応する分割画像に対応する前記分割領域に印加するように設定する。
【００１０】
このように請求項１記載の発明によれば、電圧印加手段により、搬送体の表面の前記搬送方向に対する直交方向に沿って複数の領域に分割された各分割領域に対して予め設定された電圧を個別に印加しており、画像データにより示される画像が記録媒体に記録された際の当該画像の前記搬送方向に対する後端側の所定範囲を前記分割領域に対応する複数の分割画像に分割し、分割した複数の分割画像の各々の特性を示す特性値に基づいて、分割領域毎の印加電圧を、対応する分割画像の位置ずれの視認度が低いほど吸着力が高くなるように決定し、決定した電圧を対応する分割画像に対応する分割領域に印加するように設定しているので、記録される分割画像の位置ずれの視認度が低い分割領域では吸着力を高める電圧を印加することにより記録媒体の位置ずれを防ぐことができ、また、記録される分割画像の位置ずれの視認度が高い分割領域では印加する電圧を低く抑えることにより、記録媒体に記録される画像の画質の低下を抑えることができる。
【００１１】
なお、請求項１記載の発明は、請求項２記載の発明のように、前記特性値を、前記画像データによって示される対応する分割画像の平均濃度値とし、前記決定手段は、前記平均濃度値が予め定められた第１の閾値より大きく、且つ前記第１の閾値より大きな第２の閾値以下の場合に前記印加電圧を予め定められた標準電圧に決定し、前記平均濃度値が前記第１の閾値以下の場合又は前記第２の閾値より大きい場合に前記印加電圧を前記標準電圧よりも前記記録媒体の吸着力が高い高吸着電圧に決定するものとしてもよい。
【００１２】
また、請求項１記載の発明は、請求項３記載の発明のように、前記決定手段は、前記分割画像が線画である場合又は当該分割画像に文字部分の線の幅が所定画素数以下の細線の文字が含まれている場合に前記印加電圧を予め定められた標準電圧に決定し、その他の場合に前記印加電圧を前記標準電圧よりも前記記録媒体の吸着力が高い高吸着電圧に決定するものとしてもよい。
【００１３】
また、請求項２又は請求項３記載の発明は、請求項４記載の発明のように、前記決定手段は、前記分割画像毎に決定した前記印加電圧が全て前記標準電圧である場合、印加電圧を前記標準電圧と前記高吸着電圧との間の電圧と決定するものとしてもよい。
【００１４】
また、請求項１記載の発明は、請求項５記載の発明のように、前記画像データをシアン、マゼンタ、イエロー、ブラックの各成分色の画像情報を含むものとすると共に、前記液滴吐出ヘッドを当該画像データに基づいて各成分色の液滴を吐出することにより前記記録媒体に対してカラー画像を記録するものとし、前記決定手段は、前記所定範囲における同一の位置に位置する前記成分色毎の前記分割画像の特性値のうち最も前記視認度が高い特性値に基づいて対応する前記分割領域の前記印加電圧を決定するものとしてもよい。
【発明の効果】
【００１５】
以上説明したように、画像データにより示される画像が記録媒体に記録された際の当該画像の前記搬送方向に対する後端側の所定範囲を前記分割領域に対応する複数の分割画像に分割し、分割した複数の分割画像の各々の特性を示す特性値に基づいて、分割領域毎の印加電圧を、対応する分割画像の位置ずれの視認度が低いほど吸着力が高くなるように決定し、決定した電圧を対応する分割画像に対応する分割領域に印加するように設定しているので、記録媒体の位置ずれを防ぎつつ記録媒体に記録される画像の画質の低下を抑えることができる、という優れた効果を有する。
【発明を実施するための最良の形態】
【００１６】
以下、図面を参照して、本発明の実施の形態について詳細に説明する。
【００１７】
図１には、本実施の形態に係るインクジェット記録装置１０の全体構成が示されている。
【００１８】
インクジェット記録装置１０は、インク液を吐出して画像を記録する記録ヘッドアレイ１２を備えている。記録ヘッドアレイ１２は、Ｃ（シアン）、Ｍ（マゼンタ）、Ｙ（イエロー）、Ｋ（ブラック）の各色に対応して４つの液滴吐出ヘッド１４Ｃ、１４Ｍ、１４Ｙ、１４Ｋ、から構成されている。なお、以下の説明では、各色を区別する場合に符号に各色に対応する頭文字を付加し、特に区別しない場合には各色に対応する頭文字を省略して説明する。
【００１９】
各液滴吐出ヘッド１４は、記録領域が記録用紙Ｐの幅以上ある長尺ヘッドとされ、多数のノズルが記録用紙Ｐの幅方向に沿って配置されており、各ノズルからインク液を吐出することにより記録用紙Ｐの全幅を一括で記録する構成となっている。
【００２０】
各液滴吐出ヘッド１４に対応してインクタンク１６Ｃ、１６Ｍ、１６Ｙ、１６Ｋが設けられている。インクタンク１６に貯蔵されたインク液は、図示しない配管を通して各色に対応する液滴吐出ヘッド１４に供給される。
【００２１】
記録ヘッドアレイ１２の近傍には、各液滴吐出ヘッド１４のインクの詰まりを防止するための清掃や、インクの詰まりが発生した際に吸引回復動作等を行うメンテナンスユニット１５が、各液滴吐出ヘッド１４に対応して設けられている。
【００２２】
メンテナンスユニット１５は、画像記録時には、図１に示すように、記録ヘッドアレイ１２の両側に位置し、メンテナンス時には、図２に示すように、記録ヘッドアレイ１２の各ノズルに対向する位置に移動するように構成されている。なお、メンテナンスユニット１５の構成はこれに限るものではなく、メンテナンス時に、記録ヘッドアレイ１２の各ノズルに対向可能に配置できればよく、他の構成とすることもできる。
【００２３】
また、インクジェット記録装置１０は、記録用紙Ｐを格納する給紙トレイ１８を備えており、給紙トレイ１８から供給された記録用紙Ｐは、複数のローラ対２０によって搬送されて、記録ヘッドアレイ１２へ供給される。記録ヘッドアレイ１２に対向する位置には、ローラ２２Ａ、２２Ｂ及びテンションローラ２３に巻き掛けられた無端状の搬送ベルト２４が設けられており、テンションローラ２３により搬送ベルト２４を下方方向に引っ張ることにより搬送ベルト２４に一定のテンションを与えている。搬送ベルト２４は、表面が記録用紙Ｐの搬送方向に対する直交方向の幅より幅広とされ、ローラ２２Ａ、２２Ｂ及びテンションローラ２３の回転によって周回駆動し、複数のローラ対２０によって搬送されてきた記録用紙Ｐを記録ヘッドアレイ１２に対向する位置まで搬送する。
【００２４】
ローラ２２Ｂに対向する位置には、帯電ロール２６が設けられており、搬送ベルト２４は、帯電ロール２６から電圧が印加されることにより帯電する。複数のローラ対２０によって搬送されてきた記録用紙Ｐは、帯電ロール２６と搬送ベルト２４とにより挟持されることにより、搬送ベルト２４の表面に吸着される。
【００２５】
搬送ベルト２４の記録用紙Ｐ搬送方向下流側には、複数の排出ローラ３０が設けられている。記録ヘッドアレイ１２によって画像が記録された記録用紙Ｐは、これら複数の排出ローラ３０により搬送され、排紙トレイ３２に排出される。
【００２６】
また、インクジェット記録装置１０は、両面記録用の反転パス３３を備えている。反転パス３３は、複数のローラ対３５で構成されており、記録ヘッドアレイ１２により片面に画像が記録された記録用紙Ｐが、反転パス３３で反転されて再び記録ヘッドアレイ１２に対向する位置まで搬送される。これにより、記録用紙Ｐの両面に画像を記録することが可能となる。
【００２７】
図３には、本実施の形態に係る帯電ロール２６の詳細な構成が示されている。
【００２８】
帯電ロール２６は、記録用紙Ｐの搬送方向に対する直交方向に沿って複数（本実施の形態では、５個）のロール３６Ａ〜３６Ｅが直列に配置されて構成されている。ロール３６Ａ〜３６Ｅは、各々支持部材３７により回転可能に軸支されており、搬送ベルト２４の表面と各々接触している。各々ロール３６Ａ〜３６Ｅを軸支する一方の支持部材３７Ａは、導電性の部材により構成されており、支持部材３７Ａには各々に電力を供給する電力供給線３８Ａ〜３８Ｅが接続されており、ロール３６Ａ〜３６Ｅに各々設定された電圧を印加することにより、ロール３６Ａ〜３６Ｅと接触する表面の各領域を各々帯電させる。なお、以下の説明では、ロール３６Ａ〜３６Ｅ及び電力供給線３８Ａ〜３８Ｅを区別する場合に対応するＡ〜Ｅ符号を付加して説明するが、特に区別しない場合にはＡ〜Ｅ符号を省略して説明する。
【００２９】
図４には、本実施の形態に係るインクジェット記録装置１０の電気系の概略構成が示されている。
【００３０】
インクジェット記録装置１０は、全体の動作を司るＣＰＵ（中央処理装置）４０と、装置全体を制御する制御プログラムを含む各種プログラムや各種パラメータ等が予め記憶されたＲＯＭ４２と、図示しないネットワーク等の通信媒体を介して端末装置８０と接続され、当該端末装置８０から記録用紙Ｐに記録する画像データを受信する通信インターフェース４４と、受信した画像データをＣＭＹＫ色の画像データに変換するデータ変換部４６と、データ変換部４６により変換されたＣＭＹＫ色の画像データにより示される画像に基づき、帯電ロール２６に印加する電圧を設定する印加電圧設定部４７と、データ変換部４６により変換されたＣＭＹＫ色の、例えば、２５６階調等の比較的高階調のデータをハーフトーン処理等により画素を構成するドット毎に所定の階調数のドットデータを作成する画像処理部４８と、画像処理部４８により作成されたドットデータに基づき、各液滴吐出ヘッド１４の各ノズルの配列を考慮してヘッド制御部５４において読み込み可能なデータ構造に変換し、ヘッド制御部５４から読み出される記録順序にデータを並び替えた記録データを作成する記録データ作成部５０と、作成された記録データや印加電圧設定部４７により設定された印加電圧設定情報等の各種データ等を一時的に記憶するＲＡＭ５２と、ＲＡＭ５２に記憶された記録データを読み込み、各液滴吐出ヘッド１４の各ノズルに対応する圧電素子への駆動信号の出力を制御するヘッド制御部５４と、各ローラ対２０や各排出ローラ３０、ローラ２２Ａ、２２Ｂ等を回転駆動させる図示しないモータを制御して記録用紙Ｐの搬送を制御する搬送制御部５６と、を備えている。
【００３１】
なお、データ変換部４６には、色補正用のＬＵＴ（ルックアップテーブル）が記憶されており、画像データをＣＭＹＫ色の画像データに変換すると共にインクの特性に応じた色補正や濃度補正などの色補正処理を行う。
【００３２】
また、画像処理部４８は、画素を構成するドットを記録するため、ハーフトーン処理の手法として、例えば、ディザ法や誤差拡散法等を用いることができ、ＹＭＣＫの各色毎にハーフトーン処理が行われる。
【００３３】
また、搬送制御部５６は、電力供給線３８Ａ〜３８Ｅに供給する電圧も制御しており、ＲＡＭ５２に記憶された印加電圧設定情報に基づいて設定された電圧をロール３６Ａ〜３６Ｅに印加する。
【００３４】
これらＣＰＵ４０、ＲＯＭ４２、ＲＡＭ５２、データ変換部４６、印加電圧設定部４７、画像処理部４８、通信インターフェース４４、ヘッド制御部５４、搬送制御部５６、及び記録データ作成部５０は、システムバスＢＵＳを介して相互に接続されている。従って、ＣＰＵ４０は、ＲＯＭ４２及びＲＡＭ５２へのアクセスと、データ変換部４６、画像処理部４８及び記録データ作成部５０によるデータ処理の制御と、印加電圧設定部４７によるロール３６Ａ〜３６Ｅに対して各々印加する電圧の設定の制御と、搬送制御部５６を制御しての記録用紙Ｐの搬送の制御及び電力供給線３８Ａ〜３８Ｅに供給する電圧の制御と、ヘッド制御部５４を制御しての記録用紙Ｐへの記録処理の制御と、を各々行うことができる。
【００３５】
次に、本実施の形態の係るインクジェット記録装置１０によって画像を記録媒体に記録する際のインクジェット記録装置１０の動作の流れを説明する。
【００３６】
ユーザが端末装置８０から画像データの記録を指示すると、インクジェット記録装置１０は当該端末装置８０からの画像データを通信媒体を介して通信インターフェース４４より受信する。
【００３７】
受信した画像データは、データ変換部４６によりＣＭＹＫ色の画像データに変換されると共に色補正用のＬＵＴを用いて各色のインクの特性に応じた色補正や濃度補正などの色補正処理が行われてＲＡＭ５２に記憶される。
【００３８】
印加電圧設定部４７は、ロール３６Ａ〜３６Ｅから搬送ベルト２４に各々印加する電圧値を標準電圧（本実施の形態では、２００Ｖ）と設定する共に、後述する印加電圧設定処理を行い、搬送ベルト２４が記録用紙Ｐの搬送方向の後端側の所定範囲（本実施の形態では５０ｍｍ）を吸着する領域に対してロール３６Ａ〜３６Ｅに各々印加する電圧を設定する。なお、この所定範囲は、搬送ベルト２４や記録用紙Ｐに応じて適宜設定することが好ましい。
【００３９】
画像処理部４８は、ＲＡＭ５２に記憶されたＣＭＹＫの各色に色変換した画像データに基づき、ハーフトーン処理を行い各画素の階調値に応じて各ドット毎のドットデータを作成する。記録データ作成部５０は、ドットデータを各液滴吐出ヘッド１４の各ノズルの配列を考慮した記録データに変換してＲＡＭ５２に記憶させる。
【００４０】
記録データがＲＡＭ５２に記憶されると、搬送制御部５６は、図示しないモータを制御し、搬送ベルト２４の周回駆動を開始すると共に、ＲＡＭ５２に記憶された印加電圧設定情報に基づいて印加電圧設定部４７により設定された電圧を電力供給線３８Ａ〜３８Ｅに供給してロール３６Ａ〜３６Ｅに電圧を印加して搬送ベルト２４を帯電させる。そして、搬送制御部５６は、図５（Ａ）に示すように、給紙トレイ１８に格納された記録用紙Ｐの搬送を開始して各ローラを駆動させ、搬送ベルト２４上に記録用紙Ｐを供給する。搬送ベルト２４上に供給された記録用紙Ｐは、図５（Ｂ）、（Ｃ）に示すように、搬送ベルト２４の表面に吸着し、搬送ベルト２４の周回駆動に伴って共に記録ヘッドアレイ１２に対向する画像記録位置へ搬送される。
【００４１】
ヘッド制御部５４は、ＲＡＭ５２に記憶された記録データを読み込み、記録データに基づいて各液滴吐出ヘッド１４へ駆動信号を出力する。これにより、各液滴吐出ヘッド１４のノズルからインク液を吐出し、記録用紙Ｐに画像が記録される。
【００４２】
画像が記録された記録用紙Ｐは、図５（Ｄ）に示すように、搬送ベルト２４の周回駆動に伴い搬送方向下流側へ搬送され、排出ローラ３０により搬送され、排紙トレイ３２に排出される。
【００４３】
次に、図６を参照しつつ、印加電圧設定処理の作用を説明する。なお、図６は、印加電圧設定部４７により実行される印加電圧設定処理の流れを示すフローチャ−トである。
【００４４】
同図のステップ１００では、図７に示すように、ＲＡＭ５２に記憶された画像データにより示される画像６０の搬送方向の後端側の上記所定範囲（本実施の形態では５０ｍｍ）を、ロール３６Ａ〜３６Ｅの搬送ベルト２４の表面に対する直交方向の位置に対応した分割画像６２Ａ〜６２Ｅに分割する。なお、この分割はＣＭＹＫの各色の画像データ毎に行い、各色毎に分割画像６２Ａ〜６２Ｅを生成する。
【００４５】
次のステップ１０２では、ＣＭＹＫの各色の分割画像６２Ａ〜６２Ｅから処理対象の分割画像を初期設定する。なお、本実施の形態では、分割画像６２Ａを処理対象の分割画像と初期設定する。
【００４６】
次のステップ１０４では、処理対象のＣＭＹＫの各色の分割画像の何れかが線画であるか否かを判定し、肯定判定となった場合はステップ１０６へ移行し、否定判定となった場合はステップ１０５へ移行する。
【００４７】
ステップ１０５では、処理対象のＣＭＹＫの各色の分割画像の何れかに文字部分の線の幅が所定画素（本実施の形態では、２画素分の幅）以下の細線の文字が含まれているか否かを判定し、肯定判定となった場合はステップ１０６へ移行し、否定判定となった場合はステップ１０８へ移行する。
【００４８】
ステップ１０６では、処理対象の分割画像に対応するロール３６に印加する電圧を、搬送ベルト２４の後端側の上記所定範囲以外の領域に印加する電圧と同様の標準電圧（本実施の形態では、２００Ｖ）と設定する。すなわち、線画や細線の文字が含まれている画像では、インク液の着弾位置のずれが発生した場合の位置ずれの視認度が最も高いため、処理対象のＣＭＹＫの各色の分割画像の何れかに線画や細線の文字が含まれている場合、ロール３６に印加する電圧を標準電圧とする。これにより、吐出されたインク液の着弾位置のずれが発生しずらくなり、記録される画像の画質の低下を抑えることができる。
【００４９】
一方、ステップ１０８では、処理対象のＣＭＹＫの各色の分割画像の何れかの平均濃度が第１の閾値Ｄ１（本実施の形態では、処理対象の分割画像を全面を最も濃い濃度とした場合の１％）以下であるか否かを判定し、肯定判定となった場合はステップ１１２へ移行し、否定判定となった場合はステップ１１０へ移行する。
【００５０】
ステップ１１０では、処理対象のＣＭＹＫの各色の分割画像の何れかの平均濃度が第２の閾値Ｄ２（本実施の形態では、処理対象の分割画像を全面を最も濃い濃度とした場合の２５％）より大きいか否かを判定し、肯定判定となった場合はステップ１１２へ移行し、否定判定となった場合はステップ１１４へ移行する。
【００５１】
ステップ１１２では、処理対象の分割画像に対応するロール３６に印加する電圧を標準電圧よりも記録用紙Ｐの吸着力が高い高吸着電圧（本実施の形態では、６００Ｖ）と設定する。すなわち、処理対象のＣＭＹＫの各色の分割画像の平均濃度が非常に低い場合（第１の閾値Ｄ１以下の場合）は電界の影響を受けて吐出されたインク液の着弾位置のずれが発生しても平均濃度が非常に低いために分割画像の位置ずれの視認度が低く、ドットの位置ずれが目立ちにくい。また、平均濃度がある程度高い場合（第２の閾値Ｄ２よりも大きい場合）は吐出されたインク液の着弾位置のずれが発生しても濃度が高いためにドット位置ずれやミストの影響が目立ちにくく、分割画像の位置ずれの視認度が低いため画質への影響が少ない。よって、分割画像の位置ずれの視認度が低い場合、印加する電圧を高くすることにより、記録媒体の当該処理対象の分割画像が記録される領域の吸着力が高まり記録用紙Ｐの位置ずれの発生を防止できる。
【００５２】
一方、ステップ１１４では、処理対象の分割画像に対応するロール３６に印加する電圧を、上記標準電圧と設定する。すなわち、平均濃度が特定の範囲（本実施の形態では、第１の閾値Ｄ１より大きくかつ第２の閾値Ｄ２以下の範囲）の場合、インク液の着弾位置のずれが発生するとドットの位置ずれやミストによる濃度むらが顕著であり、位置ずれの視認度が高いため、処理対象のＣＭＹＫの各色の分割画像の何れか１つでも平均濃度が特定の範囲である場合、ロール３６に印加する電圧を標準電圧とする。
【００５３】
次のステップ１１６では、全ての分割画像６２Ａ〜６２Ｅに対してステップ１０４〜ステップ１１６の処理を行った否かを判定し、肯定判定となった場合はステップ１１８へ移行し、否定判定となった場合は未だ処理を行っていない分割画像６２を処理対象の分割画像として再度ステップ１０４へ移行する。
【００５４】
ステップ１１８では、全てのロール３６で設定された電圧値が上記標準電圧であるか否かを判定し、肯定判定となった場合はステップ１２０へ移行し、否定判定となった場合は処理終了となる。
【００５５】
ステップ１２０では、全てのロール３６に印加する電圧を上記標準電圧よりも高く、且つ上記高吸着電圧よりも低い電圧（本実施の形態では、３００Ｖ）と設定する。すなわち、全てロール３６において印加する電圧が上記標準電圧であると、搬送ベルト２４に吸着される記録用紙Ｐの吸着力が弱く、各液滴吐出ヘッド１４からインク液を吐出して画像の記録を行っている間に記録用紙Ｐの先端が排出ローラ３０により搬送されると記録用紙Ｐに位置ずれが発生する場合があるため、印加する電圧を画質の劣化を抑えつつ十分な吸着力が確保できる電圧値とする。
【００５６】
このように、本実施の形態によれば、図８に示すように、例えば、分割画像６２Ａ、６２Ｄ、６２Ｅに線画や細線の文字が含まれておらず且つ平均濃度が第１の閾値Ｄ１以下の場合又は第２の閾値Ｄ２よりも大きい場合は、ロール３６Ａ、３６Ｄ、３６Ｅに高吸着電圧（本実施の形態では、６００Ｖ）が印加されて搬送ベルト２４に記録用紙Ｐが強く吸着されるため記録用紙Ｐに位置ずれの発生を防止することができる。また、分割画像６２Ｂ、６２Ｃに線画や細線の文字が含まれていたり、あるいは平均濃度が第１の閾値Ｄ１より大きく且つ第２の閾値Ｄ２以下の場合は、ロール３６Ｂ、３６Ｃに標準電圧（本実施の形態では、２００Ｖ）が印加されるため、記録されるドットの位置のずれやミストの汚れ等による画質の劣化を抑えることができる。
【００５７】
以上のように本実施の形態によれば、電圧印加手段（ここでは、帯電ロール２６）は、複数に分割されて搬送体（ここでは、搬送ベルト２４）による前記記録媒体の搬送方向に対する交差方向に沿って前記搬送体の表面と対向するように配置され、当該表面の前記搬送方向に対する直交方向に沿って複数の領域に分割された各分割領域に対して予め設定された電圧を個別に印加し、分割手段（ここでは、印加電圧設定部４７）は、画像データにより示される画像が前記記録媒体に記録された際の当該画像の前記搬送方向に対する後端側の所定範囲を前記分割領域に対応する複数の分割画像に分割し、決定手段（ここでは、印加電圧設定処理のステップ１０４、ステップ１０５、ステップ１０８、ステップ１１０が対応）は、前記複数の分割画像の各々の特性を示す特性値（ここでは、平均濃度）に基づいて、前記分割領域毎の印加電圧を、対応する分割画像の位置ずれの視認度が低いほど吸着力が高くなるように決定し、設定手段（ここでは、印加電圧設定処理のステップ１０６、ステップ１１２、ステップ１１６、ステップ１２０が対応）は、前記決定手段により決定された電圧を対応する分割画像に対応する前記分割領域に印加するように設定しているので、記録媒体の位置ずれを防ぎつつ記録媒体に記録される画像の画質の低下を抑えることができる。
【００５８】
また、本実施の形態によれば、前記特性値を、前記画像データによって示される対応する分割画像の平均濃度値とし、前記決定手段は、前記平均濃度値が予め定められた第１の閾値より大きく、且つ前記第１の閾値より大きな第２の閾値以下の場合に前記印加電圧を予め定められた標準電圧に決定し、前記平均濃度値が前記第１の閾値以下の場合又は前記第２の閾値より大きい場合に前記印加電圧を前記標準電圧よりも前記記録媒体の吸着力が高い高吸着電圧に決定しているので、平均濃度が第１の閾値より大きく且つ前記第１の閾値より大きい第２の閾値以下の場合、標準電圧を印加することにより、記録する画像の画質の劣化を抑えることができる。また、平均濃度が前記第１の閾値以下の場合又は前記第２の閾値より大きい場合、高吸着電圧を印加することにより、搬送ベルト２４に記録用紙Ｐが強く吸着されるため記録用紙Ｐに位置ずれの発生を防止することができる。
【００５９】
また、本実施の形態によれば、決定手段は、前記分割画像が線画である場合又は当該分割画像に文字部分の線の幅が所定画素数以下の細線の文字が含まれている場合に前記印加電圧を予め定められた標準電圧に決定し、その他の場合に前記印加電圧を前記標準電圧よりも前記記録媒体の吸着力が高い高吸着電圧に決定しているので、分割画像が線画の場合や分割画像に細線の文字が含まれている場合に、記録される画像のドットの位置のずれやミストの汚れ等による画質の劣化を抑えることができる。
【００６０】
また、本実施の形態によれば、前記決定手段は、前記分割画像毎に決定した前記印加電圧が全て前記標準電圧である場合、印加電圧を前記標準電圧と前記高吸着電圧との間の電圧と決定しているので、記録用紙Ｐに記録される後端側の所定範囲の画像の画質の劣化を抑えつつ記録用紙Ｐの搬送ベルト２４への十分な吸着力を確保でき、記録用紙Ｐの位置ずれを防ぐことができる。
【００６１】
なお、本実施の形態では、図１に示すように、帯電ロール２６を搬送ベルト２４の液滴吐出ヘッド１４が対向する同一面にローラ２２Ｂと対向する位置に設けた場合について説明したが、本発明はこれに限定されるものではなく、例えば、図９（Ａ）（Ｂ）に示すように、搬送ベルト２４の液滴吐出ヘッド１４と対向する面とは異なるテンションローラ２３とローラ２２Ｂとの間の面上に、各々回転軸７０を有するロール３６Ａ〜３６Ｅを搬送方向に対する直交方向に対して並列に配置するものとしてもよい。このロール３６Ａ〜３６Ｅは、回転軸７０が導電性の部材により構成されて電力供給線３８Ａ〜３８Ｂと接続されており、搬送ベルト２４の表面の直交方向を複数の領域に分けて各々の領域に対して各々設定された電圧を印加するように配置されている。この場合、各ロール３６Ａ〜３６Ｅにより搬送ベルト２４の表面を帯電させる領域をオーバーラップさせることができるため、周面全体を帯電させることができる。また、ロール３６Ａ〜３６Ｅを液滴吐出ヘッド１４と同一面内に設けていないためローラ２２Ａ、２２Ｂの間隔を短くすることができ、装置全体を小型化することができる。
【００６２】
また、本実施の形態では、高吸着電圧を一定の６００Ｖとした場合について説明したが、本発明はこれに限定されるものではなく、例えば、平均濃度に応じて印加する電圧を複数レベルで変化させる構成としてもよい。これにより、分割領域に記録される分割画像の位置ずれの視認度に応じて複数レベルの電圧を印加できるので、記録される画像の画質の低下をより低減することができる。なお、この場合、処理対象のＣＭＹＫの各色の分割画像の各色毎の平均濃度うち最も位置ずれの視認度の高い平均濃度に基づいて当該分割領域に印加する電圧を決定することが好ましい。これにより、記録されるカラー画像の画質の劣化を抑え、記録媒体Ｐに好適なカラー画像を記録することができる。
【００６３】
また、本実施の形態では、印加電圧設定処理において処理対象のＣＭＹＫの各色の分割画像の各色毎の平均濃度に基づいて電圧を設定する場合について説明したが、本発明はこれに限定されるものではなく、例えば、Ｙ色は視認性が低いため、ＭＹＫの各色の分割画像の各色毎の平均濃度を用いて印加電圧設定処理を行うようにしてもよい。また、ＣＫの各色の分割画像を判定の対象としてもよい。この場合も、印加電圧設定処理の処理負荷を軽減することができる。
【００６４】
また、本実施の形態では、分割画像の特性を示す特性値としてＣＭＹＫの各色の分割画像の各色毎の平均濃度に基づいて電圧を設定する場合について説明したが、本発明はこれに限定されるものではなく、例えば、ＣＭＹＫの各色の分割画像の各色毎の画像密度や最大の濃度値、全色での平均濃度や画像密度、最大の濃度値などに基づいて電圧を設定するものとしてもよい。この場合も、本実施の形態と同様の効果を奏することができる。
【００６５】
また、本実施の形態では、標準電圧、高吸着電圧として各々プラスの電圧を印加する場合について説明したが、本発明はこれに限定されるものではなく、印加する電圧の大きや及び極性は、インク液の電界に対する特性や搬送ベルト２４の帯電の生じやすさ等により適宜定めればよい。
【００６６】
また、本実施の形態では、印加電圧設定処理において処理対象のＣＭＹＫの各色の分割画像に線画や細線の文字が含まれるか、及びＣＭＹＫの各色の分割画像の各色毎の平均濃度に基づいて印加する電圧を設定する場合について説明したが、本発明はこれに限定されるものではなく、例えば、分割画像に線画や細線の文字が含まれるかのみを判定して電圧を設定してもよく、また、分割画像の平均濃度のみに基づいて電圧を設定してもよい。
【００６７】
その他、本実施の形態で説明したインクジェット記録装置１０の構成（図１〜図４参照。）及び印加電圧設定処理（図６参照）の処理の流れは一例であり、本発明の主旨を逸脱しない範囲内において適宜変更可能であることは言うまでもない。
【００６８】
また、本実施形態で説明したインクジェット記録装置１０は、記録媒体上へ画像（文字を含む）を記録するものであったが、本発明のインクジェット記録装置１０は、これに限定されるものではない。すなわち、記録媒体は記録用紙に限定されるものでなく、また、吐出する液体もインクに限定されるものではない。例えば半導体や液晶表示器等のパターン形成のためにシート状の基板に液滴を吐出するパターン形成装置等の他の液滴吐出記録装置にも適用することができる
【図面の簡単な説明】
【００６９】
【図１】実施の形態に係るインクジェット記録装置の構成を示す概略図である。
【図２】実施の形態に係るインクジェット記録装置のメンテナンス時の配置構成を示す概略図である。
【図３】実施の形態に係る帯電ロールの詳細な構成を示す平面図である。
【図４】実施の形態に係るインクジェット記録装置の電気系の構成を示すブロック図である。
【図５】実施の形態に係るインクジェット記録装置により画像を記録する際の記録用紙の流れを示す図である。
【図６】実施の形態に係る印加電圧設定処理の流れを示すフローチャ−トである。
【図７】実施の形態に係る画像データにより示される画像の分割画像部分を示す模式図である。
【図８】実施の形態に係る搬送ベルトに印加される電圧値を示すグラフである。
【図９】（Ａ）は帯電ロールの別な配置例を示す平面図であり、（Ｂ）は（Ａ）の底面図である。
【符号の説明】
【００７０】
１０  インクジェット記録装置
２４  搬送ベルト
２６  帯電ロール
３６Ａ、３６Ｂ、３６Ｃ、３６Ｄ、３６Ｅ  ロール
４７  印加電圧設定部
Ｐ  記録用紙
【図１】
2006327726.tif 000003
【図２】
2006327726.tif 000004
【図３】
2006327726.tif 000005
【図４】
2006327726.tif 000006
【図５】
2006327726.tif 000007
【図６】
2006327726.tif 000008
【図７】
2006327726.tif 000009
【図８】
2006327726.tif 000010
【図９】
2006327726.tif 000011